(57)【要約】【課題】  スライド部材に大面積の大型サブカウンターを取付けることができるキッチン用フロアキャビネットを提供する。【解決手段】  キャビネット本体２の上部前面に、左右方向に延在するレール部材３を設けて、このレール部材３にスライド部材４をスライド可能に係合させたキッチン用フロアキャビネット１であって、前記レール部材３には、側面視で略Ｌ字状の係合溝３１を形成するとともに、前記スライド部材４には、側面視で略Ｌ字状の係合部４１を形成し、前方から回し操作しながら係合させる一方、前記スライド部材３にはサブカウンター５を連設するとともに、このサブカウンター５には、フロア面１０に接地可能な脚部６を設けた。【選択図】      図２
2006218174.tif 000002
【特許請求の範囲】
【請求項１】
キャビネット本体の上部前面に、左右方向に延在するレール部材を設けて、このレール部材にスライド部材をスライド可能に係合させたキッチン用フロアキャビネットであって、前記レール部材には、側面視で略Ｌ字状の係合溝を形成するとともに、前記スライド部材には、側面視で略Ｌ字状の係合部を形成し、前方から回し操作しながら係合させる一方、前記スライド部材にはサブカウンターを連設するとともに、このサブカウンターには、フロア面に接地可能な脚部を設けたことを特徴とするキッチン用フロアキャビネット。
【請求項２】
前記サブカウンターは、開閉操作可能なカウンター台板を備えたことを特徴とする請求項１に記載のキッチン用フロアキャビネット。
【請求項３】
前記サブカウンターは、前記脚部に沿って折り畳み可能に構成したことを特徴とする請求項１または２に記載のキッチン用フロアキャビネット。
【請求項４】
前記脚部に、フロア面を少なくとも左右方向に転動可能な転動部材を設けたことを特徴とする請求項１〜３のいずれか１項に記載のキッチン用フロアキャビネット。
【請求項５】
前記サブカウンターの少なくとも前記スライド部材側の上面に左右方向に延在する突条部を設けたことを特徴とする請求項１〜４のいずれか１項に記載のキッチン用フロアキャビネット。
【請求項６】
前記サブカウンターの前記スライド部材側の端部に、前記キャビネット本体の上方まで張り出す張り出し部を設けたことを特徴とする請求項１〜５のいずれか１項に記載のキッチン用フロアキャビネット。
【発明の詳細な説明】
【技術分野】
【０００１】
本発明は、キッチン用フロアキャビネットに関するものである。
【背景技術】
【０００２】
従来、キッチン用フロアキャビネットでは、調理に使用する部分の面積を広く確保するために、シンクの周縁部に段差部を設け、この段差部に可動式のプレートを載置することが知られている（例えば、特許文献１参照）。
【０００３】
近年では、大型鍋等を調理器からシンクへ簡単に移動させることができ、しかも調理に使用する部分の面積を広く確保することができるキッチン用フロアキャビネットが求められている。
【０００４】
そこで、調理器やシンク等を有するキャビネット本体の上部前面にレール部材を設けて、このレール部材に台板を有するスライド部材をスライド可能に係合させることによって、大型鍋等を台板に載せて調理器からシンクへ移動できるようにするとともに、台板を調理台としても使用できるようにしたキッチン用フロアキャビネットが提案されつつある。
【０００５】
このようなレール部材とスライド部材との係合構造は、一般的にレール部材の端部からスライド部材の係合部を差し込むようになっているため、スライド部材が不要な場合にスライド部材をレール部材から取外そうとしても、前方から取外すことはできず、またキャビネット本体の側面がキッチンの壁に面して設置される場合にはキャビネット本体設置後にスライド部材を取外すことはできない。
【０００６】
そこで、本出願人は、スライド部材をレール部材の前方から簡単に取付けたり、取外したりすることができるキッチン用フロアキャビネットを先に提案した。
【０００７】
かかるキッチン用フロアキャビネットは、レール部材には、側面視で略Ｌ字状の係合溝を形成するとともに、スライド部材には、側面視で略Ｌ字状の係合部を形成し、レール部材の略Ｌ字状の係合溝にスライド部材の略Ｌ字状の係合部を、前方から回し操作しながら係合させるようにしたものである。
【特許文献１】特開平６−７３７６７号公報
【発明の開示】
【発明が解決しようとする課題】
【０００８】
このようなキッチン用フロアキャビネットでは、スライド部材にキャビネット本体の前面から手前側に突出して調理台等として使用可能なサブカウンターを取付けて、このサブカウンターをスライド操作して使用することが考えられる。
【０００９】
しかしながら、スライド部材の係合部はレール部材の係合溝に嵌り込んで係合しているだけであるから、このスライド部材に大面積の大型サブカウンターを取付けることは強度的に難しく、小面積のサブカウンターしか取付けられない。そこで、さらに大きな調理スペースを確保するために、大面積のサブカウンターをスライド部材に取付けることが望まれている。
【００１０】
本発明は、このような要望に鑑み、スライド部材に大面積の大型サブカウンターを取付けることができるキッチン用フロアキャビネットを提供することを目的とする。
【課題を解決するための手段】
【００１１】
上述の目的を達成するために、本発明に係るキッチン用フロアキャビネットは、キャビネット本体の上部前面に、左右方向に延在するレール部材を設けて、このレール部材にスライド部材をスライド可能に係合させたキッチン用フロアキャビネットであって、前記レール部材には、側面視で略Ｌ字状の係合溝を形成するとともに、前記スライド部材には、側面視で略Ｌ字状の係合部を形成し、前方から回し操作しながら係合させる一方、前記スライド部材にはサブカウンターを連設するとともに、このサブカウンターには、フロア面に接地可能な脚部を設けたことを特徴とするものである。
【００１２】
前記サブカウンターは、開閉操作可能なカウンター台板を備えることが好ましい。
【００１３】
前記サブカウンターは、前記脚部に沿って折り畳み可能に構成することが好ましい。
【００１４】
前記脚部に、フロア面を少なくとも左右方向に転動可能な転動部材を設けることが好ましい。
【００１５】
前記サブカウンターの少なくとも前記スライド部材側の上面に左右方向に延在する突条部を設けることが好ましい。
【００１６】
前記サブカウンターの前記スライド部材側の端部に、前記キャビネット本体の上方まで張り出す張り出し部を設けることが好ましい。
【発明の効果】
【００１７】
本発明によれば、サブカウンターに脚部を設けたから、サブカウンターはスライド部材が係合するレール部材と脚部とで略水平状態に支えられるため、大面積の大型サブカウンターとすることができ、調理スペースを広く確保することができる。また、不使用時には、サブカウンターを持ち上げてスライド部材の係合部を回し操作するだけで、レール部材に対する係合状態を解除することができるので、スライド部材とともにサブカウンターをキャビネット本体側から取外すことができる。
【発明を実施するための最良の形態】
【００１８】
以下、本発明を実施するための最良の形態について、図面を参照しながら詳細に説明する。
【００１９】
図１および図２に示すように、キッチン用フロアキャビネット１は、キャビネット本体２と、このキャビネット本体２の上部前面に設けられ、左右方向に延在するレール部材３と、このレール部材３にスライド可能に係合するスライド部材４と、このスライド部材４に連設されるサブカウンター５と、このサブカウンター５の下面に設けられ、フロア面１０に接地可能な脚部６とを備えている。
【００２０】
前記キャビネット本体２は、略直方体の形状をなしており、人造大理石等で構成されるカウンター２１と、カウンター２１を支持する箱体２３とを有して、箱体２３の前面に前後方向に開閉可能な扉２５や引き出し２４が設けられている。
【００２１】
前記カウンター２１には、調理器（図示せず）やシンク２２が組み込まれている。
【００２２】
前記レール部材３は、前記カウンター２１の下面と箱体２３の前面との角部分にビス等で固定されていて、前方に開口する係合溝３１が形成されている。この係合溝３１は、前後方向に延びる基部溝３１ａと、基部溝３１ａの後側で斜め上方に立ち上がる立上り溝３１ｂとからなり、側面視で略Ｌ字状をなしている。
【００２３】
前記スライド部材４は、側面視で略逆Ｔ字状をなしていて、前記レール部材３の係合溝３１に嵌り込んで係合する係合部４１と、前記サブカウンター５に固定する固定部４２とを有している。
【００２４】
前記係合部４１は、前後方向に延びて、レール部材３の係合溝３１の基部溝３１ａの下面に載置可能な基部４１ａと、基部４１ａの後側で斜め上方に立ち上がって、レール部材３の係合溝３１の立上り溝３１ｂに係合可能な立上り部４１ｂとからなり、側面視で略Ｌ字状をなしている。
【００２５】
そして、前記係合部４１は、下から上に回し操作しながら係合溝３に挿入することにより、立上り部４１ｂが基部溝３１ａを通過して立上り溝３１ｂに係合するようになっている。
【００２６】
前記スライド部材４は、前方からレール部材３に取付けたり、取外したりすることができる。すなわち、スライド部材４をレール部材３から取外すには、図３（ａ）の取付け状態から図３（ｂ）のように、サブカウンター５とともにスライド部材４を矢印ａのように持ち上げて、係合部４１を上から下に回し操作する。この状態で、図３（ｃ）のように、サブカウンター５とともにスライド部材４の係合部４１を矢印ｂのように手前側（同図中の右側）に引き抜けば、前方からの操作でサブカウンター５とともにスライド部材４をレール部材３から取外すことができる。
【００２７】
逆に、サブカウンター５とともにスライド部材４をレール部材３に取付けるには、前記操作とは逆にすればよい。すなわち、図３（ｃ）の取外し状態から図３（ｂ）のように、サブカウンター５とともにスライド部材４の係合部４１をレール部材３の係合溝３１に嵌め込み、この状態でサブカウンター５とともにスライド部材４の係合部４１を下から上に回し操作すれば、図３（ａ）のように、立上り部４１ｂが立上り溝３１ｂに係合するとともに基部４１ａが基部溝３１ａの下面に載ることで、サブカウンター５とスライド部材４の自重によって係合部４１の係合溝３１への係合状態が維持される。
【００２８】
前記脚部６は、前記サブカウンター５の前端部下面に固定されており、サブカウンター５は、図１に二点鎖線で示すように、サブカウンター５の下方でキャビネット本体２の扉２５や引出し２４を開閉操作しても扉２５等が脚部６に当らない大きさに設定されている。
【００２９】
なお、サブカウンター５には、図４に示すような把手５５が取付けられていてもよい。
【００３０】
サブカウンター５は、開閉操作可能なカウンター台板５１と、このカウンター台板５１を支持するフレーム５２とを有している。そして、フレーム５２の後端部に前記スライド部材４の固定部４２が固定されている。
【００３１】
前記フレーム５２は、平面視で前方に開口する略コ字状をなしており、前側の左右両端部は左右方向に延在する回動軸５４によって相互に連結されているとともに、その下面には前記脚部６がそれぞれ取付けられている。
【００３２】
前記カウンター台板５１は、フレーム５２に載置可能な大きさになっており、前端部の下面には、フレーム５２の左右内側面間に嵌り込み可能な左右方向に延在する筒状体５１ａが取付けられている。
【００３３】
前記筒状体５１ａの内径は、回動軸５４の外径よりも僅かに大きく設定されていて、回動軸５４が筒状体５１ａに挿通されることにより、カウンター台板５１がフレーム５２に図２（ｃ）の矢印ｃのように上下方向に回動可能に支持されるようになっており、これによりカウンター台板５１が上下方向に開閉操作可能となっている。
【００３４】
なお、カウンター台板５１は、上下方向に開閉操作可能である必要はなく、例えば回動軸５４を前後方向に延在させて左右方向に開閉操作可能としてもよい。また、カウンター台板５１を開閉操作可能とする構造は、適宜選定可能であり、例えば図５に示すように、フレーム５２の対向する内側面に溝部５２ａを形成し、カウンター台板５１を２分割として溝部５２ａに嵌め込んで、カウンター台板５１を引き違い式に開閉操作可能としてもよい。
【００３５】
また、カウンター台板５１のスライド部材４側である後端部の上面には、左右両端部を結ぶように左右方向に延在する突条部５１ｂが設けられている。
【００３６】
さらに、フレーム５２の後端面には、図１では省略しているが、図２（ａ）のように、カウンター２１の上方まで張り出す張り出し部５３が固定部４２を介して取付けられている。
【００３７】
サブカウンター５の後端面とカウンター２１の前面との間には、図３（ｂ）に示すようなスライド部材４の係合部４１の回動操作を可能とするための隙間ｔ（図２（ａ）参照）が必要であり、前記張り出し部５３は、この隙間ｔを上方から覆うためのものである。
【００３８】
張り出し部５３は、ステンレス鋼板が折り曲げ形成されることにより、下方及び後方に延びる略Ｌ字状であって、後端部がさらに内側に折り返された形状に形成されている。
【００３９】
そして、張り出し部５３の後端部は、上下方向に撓み変形可能となっており、図３（ｂ）に示すようにサブカウンター５を持ち上げて、スライド部材４をレール部材３から取外す際に、仮に張り出し部５３の先端部がカウンター２１に当接してもカウンター２１を傷つけないようになっている。
【００４０】
なお、前記張り出し部５３は、ステンレス鋼板で構成されている必要はなく、合成樹脂等で構成されていてもよい。
【００４１】
前記脚部６は、上下方向に延びる柱状をなしており、下端部には、フロア面１０を左右方向に転動可能なローラ７が設けられている。なお、このローラ７は、フロア面１０を少なくとも左右方向に転動可能であればよく、その向きを３６０°変えられる自在ローラであってもよいし、球を利用したどの方向にも転動可能な転動部材であってもよい。
【００４２】
本実施形態のキッチン用フロアキャビネット１では、サブカウンター５に脚部６を設けたから、サブカウンター５はスライド部材４が係合するレール部材３と脚部６とで略水平状態に支えられるため、大面積の大型サブカウンター５とすることができ、調理スペースを広く確保することができる。また、不使用時には、サブカウンター５を持ち上げてスライド部材４の係合部４１を回し操作するだけで、レール部材３に対する係合状態を解除することができるので、スライド部材４とともにサブカウンター５をキャビネット本体２側から取外すことができる。
【００４３】
さらに、サブカウンター５が大面積であれば、脚部６があってもサブカウンター５の下方からキャビネット本体２の扉２５や引き出し２４を開閉操作することができ、扉２５等を開閉操作するためにサブカウンター５を移動させる必要もない。
【００４４】
そして、サブカウンター５のカウンター台板５１が固定されている場合には、引き出し２４を引き出してもサブカウンター５が引き出し２４の上方を塞いでしまうため、収容物を出し入れすることはできないが、カウンター台板５１を開閉操作可能に構成したから、カウンター台板５１を開けば、サブカウンター５を移動させずに、カウンター台板５１を開いた部分から収容物を出し入れすることができる。
【００４５】
また、脚部６にはローラ７を設けたから、サブカウンター５を軽力でレール部材３に沿って左右方向に移動させることができる。
【００４６】
また、カウンター台板５１の後端部の上面に突条部５１ｂを設けたから、カウンター台板５１の上面に溜まった水が流れ落ちてレール部材３に入り込むことを抑制することができる。
【００４７】
さらに、サブカウンター５にカウンタ−２１の上方まで張り出す張り出し部５３を設けたから、サブカウンター５とレール部材３との間の隙間ｔの上方からレール部材３側に水が入り込むことをより有効に防止することができる。
【００４８】
なお、前記実施形態では、カウンター台板５１の後端部の上面に突条部５１ｂが設けられているが、突条部５１ｂがカウンター台板５１の全周縁部に沿って設けられていれば、カウンター台板５１上に溜まった水がこぼれ落ちることや物が落下することを防止できる。ただし、前記実施形態のように少なくともスライド部材４側に設けられていれば、レール部材３に水が入り込むことを抑制することができる。
【００４９】
また、張り出し部５３は、略Ｌ字状の部材をフレーム５２の後端面に取付けることによって構成しているが、カウンター台板５１の後端部をカウンター２１の上方まで延ばすことによって構成することも可能である。
【００５０】
さらに、前記実施形態では、サブカウンター５と脚部６とが固定されているが、サブカウンター５は、図６に示すように、脚部６に沿って折り畳み可能に構成されていることが好ましい。
【００５１】
このようにすれば、サブカウンター５をキャビネット本体２から取外した際にコンパクトに収納することができる。
【００５２】
具体的には、サブカウンター５のフレーム５２の前端部に下方に突出する突出部５６を設けるとともに、脚部６の上端部に後方に突出する突出部６１を設け、これらの突出部５６，６１同士を左右方向に延びる軸を介して回動自在に連結すればよい。
【００５３】
また、フレーム５２の下面には、サブカウンター５を折り畳んだときに脚部６に当接するストッパー５７を設ける。ここで、ストッパー５７を脚部６に設けずにフレーム５２の下面に設けるようにしたのは、図６（ａ）に示す使用状態としたときの見栄えを向上させるためである。
【００５４】
さらには、脚部６には、図６に示すように、レベルアジャスター８を取付けることも可能である。ただし、脚部６に前述したような自在ローラを取付けた場合には、サブカウンター５を脚部６に沿って折り畳んだときに移動し易くすることができる。
【図面の簡単な説明】
【００５５】
【図１】（ａ）（ｂ）は本発明の一実施形態に係るキッチン用フロアキャビネットの斜視図であり、サブカウンターの台板を開閉する前後の状態を示した図である。
【図２】（ａ）は図１の要部を拡大した断面側面図、（ｂ）はその正面図、（ｃ）はサブカウンターの台板を開いたときの断面側面図である。
【図３】（ａ）〜（ｃ）は、レール部材に対してスライド部材を取付けたり、取外したりするときの操作を説明する断面側面図である。
【図４】変形例のサブカウンターの斜視図である。
【図５】変形例のサブカウンターの斜視図である。
【図６】（ａ）（ｂ）は本発明の他の一実施形態に係るサブカウンター及び脚部の側面図であり、サブカウンターを折り畳む前後の状態を示した図である。
【符号の説明】
【００５６】
１  キッチン用フロアキャビネット
２  キャビネット本体
２１  カウンター
２４  引き出し
２５  扉
３  レール部材
３１  係合溝
４  スライド部材
４１  係合部
５  サブカウンター
５１  台板
６  脚部
７  ローラ
８  レベルアジャスター
１０  フロア面
【図１】
2006218174.tif 000003
【図２】
2006218174.tif 000004
【図３】
2006218174.tif 000005
【図４】
2006218174.tif 000006
【図５】
2006218174.tif 000007
【図６】
2006218174.tif 000008